(57)【要約】【課題】部品点数を削減し、組み立てにおける位置ずれを低減することができるメディアスロット保持構造を提供する。【解決手段】メディアスロット８を覆って保持し、メディア挿入口２から挿入された記録メディア１０をメディアスロット８に誘い込むテーパ状の誘い面５ａと、メディア挿入口２の開口縁部に一部が露出して、この露出部分（露光照明部３）に光源９の光を導く導光部６とが一体に形成されたメディアスロット保持部４を備える。【選択図】図２
2015219758.tif 000002
【特許請求の範囲】
【請求項１】
電子機器の筐体の外面の一部に形成されたメディア挿入口を介して記録メディアが挿抜されるメディアスロットの保持構造であって、
前記メディアスロットを覆って保持し、前記メディア挿入口から挿入された前記記録メディアを前記メディアスロットに誘い込む誘い込み部と、前記メディア挿入口の開口縁部から一部が外部に露出して、この露出部分に光源の光を導く導光部とが一体に形成された保持部材を備えるメディアスロット保持構造。
【請求項２】
前記誘い込み部は、前記メディア挿入口に対向する前記保持部材の開口部に形成されたテーパ状の誘い面であることを特徴とする請求項１記載のメディアスロット保持構造。
【請求項３】
前記保持部材は、非透光性の樹脂材から形成されており、
前記導光部は、前記電子機器の筐体内に位置する部分が前記保持部材に覆われていることを特徴とする請求項１または請求項２記載のメディアスロット保持構造。
【請求項４】
前記保持部材は、導電性の樹脂材から形成されていることを特徴とする請求項１から請求項３のうちのいずれか１項記載のメディアスロット保持構造。
【発明の詳細な説明】
【技術分野】
【０００１】
この発明は、ＳＤカードなどの記録メディアを挿抜するメディアスロットの保持構造に関する。
【背景技術】
【０００２】
車載用の電子機器などのメディアスロットにおいては、車両内が暗い場合であっても、記録メディアを的確に挿入できるようにするため、暗所でメディア挿入口を照明してその位置を示す導光部や、メディア挿入口から挿入された記録メディアをメディアスロットに誘い込む誘い込み部が設けられる場合が多い。
また、電子機器内の基板に取り付けられたメディアスロットは、一般的に、保持部材に覆われて保持されている。保持部材は、主に基板を伝ってメディアスロットに加わる応力を緩和するためものであるが、その材質を選択することによりメディアスロットから放出された電磁波を遮蔽する役割を持たせることもできる。
【０００３】
例えば、特許文献１には、板金製の保持部材でメディアスロットを保持する構造が開示されている。この保持部材（特許文献１のカバー部材１２）は、板金の折り曲げによって形成されており、メディア挿入口から挿入された記録メディアをメディアスロットに誘い込む誘い込み部（特許文献１のガイド部材２５）が一体に形成された構造となっている。
【先行技術文献】
【特許文献】
【０００４】
【特許文献１】特開２０１１−２３３０７６号公報
【発明の概要】
【発明が解決しようとする課題】
【０００５】
従来のメディアスロット保持構造では、一般的に、メディアスロットを保持する構造、誘い込み部および導光部がそれぞれ別々の部品で構成されている。このため、部品点数が多くなり、製造工程が繁雑になるという課題があった。
また、各部品の寸法ばらつきにより組み立ての際に部品間に位置ずれが発生する可能性があった。さらに、別々の部品を組み合わせた構造体においては、各部品に振動が加わると、部品間に異音が発生する場合がある。
【０００６】
一方、特許文献１に開示される保持部材には、誘い込み部が一体に形成されている。
しかしながら、特許文献１では、保持部材と導光部が別々の部品であるため、保持部材と導光部との間には、上述した不具合が発生する可能性がある。
特に、導光部は、光源との位置関係がずれると光源の光を適切に外部に導光することができなくなるため、組み立てにおける位置ずれの要因を極力減らす必要がある。
【０００７】
この発明は、上記のような課題を解決するためになされたもので、部品点数を削減し、組み立てにおける位置ずれを低減することができるメディアスロット保持構造を得ることを目的とする。
【課題を解決するための手段】
【０００８】
この発明に係るメディアスロット保持構造は、電子機器の筐体の外面の一部に形成されたメディア挿入口を介して記録メディアが挿抜されるメディアスロットの保持構造であって、メディアスロットを覆って保持し、メディア挿入口から挿入された記録メディアをメディアスロットに誘い込む誘い込み部と、メディア挿入口の開口縁部から一部が外部に露出して、この露出部分に光源の光を導く導光部とが一体に形成された保持部材を備える。
【発明の効果】
【０００９】
この発明によれば、部品点数を削減し、組み立てにおける位置ずれを低減することができるという効果がある。
【図面の簡単な説明】
【００１０】
【図１】メディア挿入口が形成された意匠パネルを示す斜視図である。
【図２】この発明の実施の形態１に係るメディアスロット保持構造の分解斜視図である。
【図３】実施の形態１に係るメディアスロット保持構造の側方断面図である。
【図４】実施の形態１に係るメディアスロット保持構造の露光照明部の部分断面図である。
【発明を実施するための形態】
【００１１】
実施の形態１．
図１は、メディア挿入口が形成された意匠パネルを示す斜視図である。図１に示すように、本発明のメディアスロット保持構造は、例えば、意匠パネル１の一部にメディア挿入口２が形成され、メディア挿入口２の開口縁部に露光照明部３が設けられた構造体として実現される。なお、本発明において、メディア挿入口２が形成される部分は、電子機器の筐体の外面部分であればよく、意匠パネル１に限定されるものではない。
また、図１では、記録メディアの挿入により内開きするシャッターをメディア挿入口２に設けた構成を示したが、本発明は、シャッターのない構成であってもよい。
【００１２】
露光照明部３は、外部に露出した導光部の一部である。導光部については図２を用いて後述する。また、露光照明部３は、暗所で発光してメディア挿入口２の位置を的確に示すため、メディア挿入口２の開口縁部に設けられる。図１の例は、露光照明部３をメディア挿入口２の開口縁部の左右両端部に設けた場合を示している。
ただし、本発明では、露光照明部３を左右一方に設けてもよく、開口縁部の中央部などのように側方でなくてもよい。
【００１３】
図２は、この発明の実施の形態１に係るメディアスロット保持構造の分解斜視図である。図３は、実施の形態１に係るメディアスロット保持構造の側方断面図である。図４は、実施の形態１に係るメディアスロット保持構造の露光照明部の部分断面図である。
図２に示す基板７は電子機器の筐体内に配設されており、メディアスロット８は、電子機器の筐体内において、図１に示したメディア挿入口２にスロット口８ａが対向するように基板７に実装される。
【００１４】
図２に示すように、メディアスロット保持部４は、底面と前面部が開口した箱状の部材であり、破線の矢印で示すように基板７に取り付けられる。
このようにメディアスロット保持部４がメディアスロット８を覆って保持することで、基板７を伝ってメディアスロット８に加わる応力が緩和される。
【００１５】
また、メディアスロット保持部４の前面部に形成された開口部５は、内部に保持されたメディアスロット８のスロット口８ａと連通している。
開口部５の内側面には、図３に示すように、開口径が外方から内部のスロット口８ａへ向けて滑らかに縮径するようにテーパ状の誘い面５ａが形成されている。メディア挿入口２から挿入された記録メディア１０は、テーパ状の誘い面５ａを伝ってスロット口８ａに導かれる。すなわち、テーパ状の誘い面５ａは、本発明の誘い込み部として機能する。
【００１６】
導光部６は、図２に示すようにメディアスロット保持部４の両側面に形成されたＬ字状の導光部材であり、開口部５側に屈曲した部分の端面部が、メディア挿入口２の開口縁部から外部に露出する露光照明部３となる。また、導光部６は、図４に示すように、基板７に実装された光源９の光を、露光照明部３となる端面まで導光する。
【００１７】
本発明における特徴的な構成として、メディアスロット保持部４は、誘い込み部であるテーパ状の誘い面５ａと露光照明部３まで光源９の光を導光する導光部６とに一体に形成されている。例えば、誘い面５ａを含むメディアスロット保持部４に非透光性の樹脂材（黒色樹脂など）を使用し、導光部６に透光性の樹脂材（透明または乳白色の樹脂）を使用した、樹脂の二色成形により作製する。
このように構成することで、従来では、保持部材、誘い込み部、導光部がそれぞれ別々の部品であったところ、これらを１つの部品とすることができる。これにより、部品点数が大幅に削減される。これにより個々の部品の寸法ばらつきを考慮する必要がなく、組み立てにおける位置ずれを格段に低減することができる。
【００１８】
導光部６において、メディアスロット保持部４の側面部から開口部５側に屈曲した部分は、端面部（露光照明部３）を残して、意匠パネル１を組み付けたときに意匠パネル１によって隠れる部分である。
一方、導光部６において、図４で符号Ａを付した範囲にある部分は、電子機器の筐体内に位置する部分である。この部分が光源９の光で発光すると、露光照明部３以外の部分、例えば、メディア挿入口２のシャッターの隙間などから光漏れが発生し、意匠の観点から好ましくない。
【００１９】
そこで、実施の形態１では、図４に示すように、導光部６における電子機器の筐体内に位置する部分を非透光性の樹脂材のメディアスロット保持部４で覆っている。このようにすることで、電子機器の筐体内で発光する部分が隠されて、露光照明部３以外の部分から光漏れが発生することを防止できる。
【００２０】
また、上記説明では、誘い面５ａを含むメディアスロット保持部４に非透光性の樹脂材を用いる場合を示したが、例えば、黒色のカーボンフィラーを含有させた樹脂材を用いてもよい。この場合、メディアスロット保持部４が非透光性かつ導電性を有するので、内部に保持したメディアスロット８から放出される電磁波を遮蔽することが可能となる。
【００２１】
以上のように、この実施の形態１によれば、メディアスロット８を覆って保持し、メディア挿入口２から挿入された記録メディア１０をメディアスロット８に誘い込むテーパ状の誘い面５ａと、メディア挿入口２の開口縁部に一部が露出して、この露出部分（露光照明部３）に光源９の光を導く導光部６とが一体に形成されたメディアスロット保持部４を備える。このように誘い込み部と導光部と保持部材の全てが１つの部品となるので、従来と比較して部品点数を大幅に削減することができる。また、個々の部品の寸法ばらつきを考慮する必要がないため、組み立てにおける位置ずれを格段に低減することができる。
これにより、製造工程を簡易化でき、振動が加わっても異音が発生することがない。
【００２２】
また、この実施の形態１によれば、誘い込み部は、メディア挿入口２に対向するメディアスロット保持部４の開口部５に形成されたテーパ状の誘い面５ａである。
このように構成することで、メディア挿入口２から挿入された記録メディア１０を的確にメディアスロット８のスロット口８ａに誘い込むことができる。
【００２３】
さらに、この実施の形態１によれば、メディアスロット保持部４は、非透光性の樹脂材から形成されており、導光部６は、電子機器の筐体内に位置する部分がメディアスロット保持部４に覆われている。このように構成することで、導光部６における電子機器の筐体内で発光する部分が隠されるため、露光照明部３以外の部分から光漏れが発生することを防止できる。
【００２４】
さらに、この実施の形態１によれば、メディアスロット保持部４は導電性の樹脂材から形成される。このように構成することで、メディアスロット８から放出される電磁波を遮蔽することができる。
【００２５】
なお、本発明はその発明の範囲内において、実施の形態の任意の構成要素の変形、もしくは実施の形態の任意の構成要素の省略が可能である。
【符号の説明】
【００２６】
１  意匠パネル、２  メディア挿入口、３  露光照明部、４  メディアスロット保持部、５  開口部、５ａ  テーパ状の誘い面、６  導光部、７  基板、８  メディアスロット、８ａ  スロット口、９  光源、１０  記録メディア。
【図１】
2015219758.tif 000003
【図２】
2015219758.tif 000004
【図３】
2015219758.tif 000005
【図４】
2015219758.tif 000006